(57)【特許請求の範囲】
【請求項１】
刷版支持台と、該支持台に装着された刷版位置決め装置と、前記支持台に刷版を固定する固定部材と、穴開け装置とを備えた刷版取付穴の穿孔装置であって、
前記刷版位置決め装置は、圧縮ばねによって上方に付勢され、刷版に設けた円筒状の位置合わせ凹部に上方から嵌挿される位置決めピンと、該位置決めピンを前記位置合わせ凹部に上方から押込み、押込み位置を維持させるピン押込み部材とを具備しており、
前記固定部材は、前記支持台に着脱自在に取着され刷版を固定するとともに、穴開け装置の穴開け用具を案内するガイド板によって構成されていることを特徴とする刷版取付穴の穿孔装置。
【請求項２】
刷版支持台と、該支持台に装着された刷版位置決め装置と、前記支持台に刷版を固定する固定部材と、穴開け装置とを備えた刷版取付穴の穿孔装置であって、
前記固定部材は、前記支持台に着脱可能として取着され、刷版を固定するとともに、多数の穴開け用ポンチの案内孔を設けたガイド板によって構成され、
前記穴開け装置は、機台に上下動可能として装着された支持枠に配設された多数の穴開け用ポンチと、前記支持台に埋設され、穴開け用ポンチと協働するダイスとから構成されていることを特徴とする刷版取付穴の穿孔装置。
【発明の詳細な説明】
【０００１】
【発明の属する技術分野】
本発明は、オフセット印刷版の取付穴の位置決め方法とその方法を使用した取付穴穿孔装置に関する。
【０００２】
【従来の技術】
オフセット印刷版の前後端に取付穴を開け、版胴に設けたピンに取り付けるようにした印刷版取付方法は従来より周知であるが、印刷版の取付穴を正確に位置決めする方法として、製版時に枠面にトンボマークを印刷面と同時に焼付け形成し、取付穴穿孔時に、刷版を取付穴穿孔装置の機台に載置し、トンボマークを直接目視または拡大鏡で拡大目視し、取付穴穿孔装置に設けた基準線に合わせて刷版を所定の位置に位置決めし、次いで印刷版を固定し、その前後両端縁に取付穴を開けるようにする方法が、従来より一般に実施されている。
【０００３】
【発明が解決しようとする課題】
しかしながら、前記従来技術では、目視によって位置決めしているため、刷版の位置決めに時間がかかるとともに、作業員による個人差もあって、常に一定の位置に位置決めされるとは限られなかった。
そのため、刷版間で取付穴の位置がずれるという問題があった。
【０００４】
多色刷りの場合に、取付穴の位置ずれがあると、版胴への取付時に刷版の位置調整に時間を要し、その調整作業も熟練度が必要であり、印刷機の停止率も多くなった。
また、刷版取付時に正確な位置合わせができないと印刷不良となり、場合によっては刷版自体が使用できないというような問題もあった。
【０００５】
本発明は、前記の問題点を解決し、刷版の取付穴穿孔にあたって誰が作業を行っても、迅速に、しかも正確な位置決めが出来るようにすることにより、刷版の穴開け時間を短縮すること、および版取付調整時間をなくし、品質の安定と刷版取り替え時間を短縮させることを技術的課題とし、刷版取付穴穿孔作業における新規な刷版位置決め方法と取付穴穿孔装置を提供することを目的とする。
【０００６】
【課題を解決するための手段】
本発明は、上記の目的を達成するため、刷版の位置決め方法として、刷版製版時に、印刷面と同時に枠面に位置合わせ用凹部を焼付け形成し、該凹部に位置決めピンを嵌挿して、刷版を定位置に位置決めする位置決め方法を採用する。
【０００７】
刷版取付穴の穿孔装置として、刷版支持台と、該支持台に装着された刷版位置決め装置と、前記支持台に刷版を固定する固定部材と、穴開け装置とを備えた刷版取付穴の穿孔装置であって、前記刷版位置決め装置は、圧縮ばねによって上方に付勢され、刷版に設けた円筒状の位置合わせ凹部に上方から嵌挿される位置決めピンと、該位置決めピンを前記位置合わせ凹部に上方から押込み、押込み位置を維持させるピン押込み部材とを具備しており、前記固定部材は、前記支持台に着脱自在に取着され刷版を固定するとともに、穴開け装置の穴開け用具を案内するガイド板によって構成されていることを特徴とする装置を採用する。
【０００８】
さらに、刷版取付穴の穿孔装置の別実施形態として、刷版支持台と、該支持台に装着された刷版位置決め装置と、前記支持台に刷版を固定する固定部材と、穴開け装置とを備えた刷版取付穴の穿孔装置であって、前記固定部材は、前記支持台に着脱可能として取着され、刷版を固定するとともに、多数の穴開け用ポンチの案内孔を設けたガイド板によって構成され、前記穴開け装置は、機台に上下動可能として装着された支持枠に配設された多数の穴開け用ポンチと、前記支持台に埋設され、穴開け用ポンチと協働するダイスとから構成されていることを特徴とする装置を採用する。
【０００９】
【発明の実施の形態】
次に、本発明の実施形態について図面を参照して説明する。
図１において、Ａは凸版オフセット印刷用の刷版であって、印刷面部１と枠面部２とを具えている。
左側の枠面部２ａには、二つの位置合わせ用凹部３が設けられ、前後の枠面部２ｂにはそれぞれ複数個の版取付穴４が穿孔されている。
刷版Ａは、鋼材またはアルミ材等の金属基板５とその上に塗布された感光性樹脂層６とから形成されており、版面の焼付け製作にあたって、位置合わせ用凹部３は遮光部とし、印刷面とともに同時焼付けを行って、未露光部を溶剤で洗い出すことによって、印刷面の形成と同時に凹部３を形成する。
取付穴の穿孔にあたって、図２に示すように凹部３に位置合わせ用ピンを挿入して位置合わせを行う。
【００１０】
次に、本発明の取付穴穿孔装置Ｂについて、図３〜５を参照して説明する。
穿孔装置Ｂは、機台（図示しない）に定置された刷版の支持台１０と該支持台に取着された二つの位置決め装置２０と穴開け装置４０とからなっている。
支持台１０は、刷版の天地方向に対して前後（図においては左右）の支持台１１，１１と左右（図においては上下）の支持台１２ａ，ｂによって構成され、前後の支持台１１，１１には、所定の間隔を置いて複数個のダイスの取付孔１３と、該取付孔に連なる開口１４が設けられている。
左側（図の下側）の支持台１２ａには、位置決め装置２０を取り付けるため、所定の位置に二つの取付溝１５と取付穴１６が設けられている。
支持台１１，１１の端部には、段部が設けられており、刷版の厚さとほぼ同じ高さまで突出する規制板１７がねじ止めされている。
【００１１】
位置決め装置２０は、前記取付溝１５に嵌合される機枠２１を具えており、該機枠には、内方に突出する上枠２３と下枠２２が設けられ、下部に前記取付穴１６に嵌合する取付足２４が設けられている。
取付足２４は、ねじ２５によって取付穴１６に締着されており、したがって機枠２１は、支持枠１２ａの定位置にしっかりと取着されている。
前記下枠２２には、挿通孔２６が穿設されており、該挿通孔２６には位置決めピン２７が上下動自在に嵌挿されている。
位置決めピン２７は、その下端に刷版Ａの位置合わせ用凹部３に挿入される凸部２８が穿設され、その上端には、フランジ２９が設けられている。
該フランジ２９と、下枠２２の上面との間にばね３０が弾装されており、フランジを介して位置決めピンを上方に付勢するようにしている。
【００１２】
前記上枠２３には、ピン挿通孔２６の軸線と軸線を同一としてねじ孔３１が穿設されており、該ねじ孔３１には位置決めピン押込み部材３２が螺着されている。
該押込み部材３２は、つまみ３３と前記ねじ孔３１に螺合されるねじ３４を具えており、ねじ３４の下端は、押込み部材の廻動操作により前記位置決めピン２７の上端に係合して、位置決めピンを下降させるようにしている。
【００１３】
前記機枠２１の下部には、支持台１２ａと同一平面上に軸線を有するねじ孔３５が穿設されており、該ねじ孔には、版端位置調整部材３６が螺着されている。該調整部材３６は、つまみ３７と前記ねじ孔３５に螺合されるねじ３８とを具えており、ねじ３８の端部は、刷版Ａの端縁に係合し、必要に応じて刷版端縁を位置合わせ用凹部３が位置決めピン２７と一致する正確な位置に設定させるようにしている。
また、取付溝の端部１５ａは、位置決めピン２７の中心から一定の距離を保つように配設されている。
【００１４】
穴開け装置４０は、その下面に所定数の穴開けポンチ４１を一直線上に配列したポンチ支持枠４２と刷版を定位置に固定するガイド板４３とダイス４４を具えている。
ポンチ支持枠４２には、取付杆４５が取着されており、穿孔装置Ｂの機台に装着された流体圧シリンダーその他の駆動手段により上下動可能とされている（図示しない）。
ガイド板４３には、ポンチの中心軸と同一軸線として案内孔４６が穿設され、ポンチと同径の内径を有する案内カラー４７が埋設されている。
ガイド板４３の両端部には、ねじの挿通孔４８が穿孔されており、ガイド板４３は、止めねじ４９によって刷版を挟持して支持台１１，１１に取着するようにしている。
ダイス４４は、ポンチ４１の軸線と軸線を同一として支持台１１，１１の取付孔１３に嵌着されている。
【００１５】
次に、上記装置を使用した取付穴穿孔方法について説明する。
位置合わせ用凹部３を設けた刷版が支持台の上に載置され、必要に応じて刷版側端が位置調整部材３６のねじ端面に衝合されて位置決めされ、次いで、押し込み部材のつまみ３７を調節することによって位置決めピンを下降させる。
位置決めピンの凸部２８が、位置合わせ用凹部３に嵌挿されたときに、ガイド板４３を支持台にねじ止めし、刷版Ａを定位置に固定する。
次いで、ポンチ支持枠４２を下降させ、ポンチ４１を案内カラー４７を通じてダイス４４に係合させ、両者の協動作用によって刷版に取り付け穴が穿孔される。
【００１６】
上記実施形態では、穴開け装置としてポンチとダイスを用いているが、これに変え、多軸ポール盤を用いても良く、当業者にとっては容易に実施できることである。
【００１７】
【発明の効果】
本発明は、上記のように構成されているから、次の効果を奏する。
位置合わせ用凹部を製版時に印刷面部とともに同時に焼付け形成させるようにしたから、取付穴穿孔時には、位置決めピンを凹部に合わせるだけで、刷版を正確に位置決めし、取付穴の位置を正確に位置づけて穿孔することができ、刷版の版胴への取付が正確に能率良くできるようになった。
【図面の簡単な説明】
【図１】本発明の凸版オフセット印刷用刷版である。
【図２】刷版の位置合わせ用凹部に位置決めピンを嵌挿した時の要部拡大断面図である。
【図３】ポンチ支持枠を除いた時の支持台の平面図である。
【図４】支持台，ポンチ支持枠を示す図で、（ａ）は側面図で、（ｂ）は図３のＡ−Ａ線における断面側面図である。
【図５】位置決め装置の図４（ａ）のＢ−Ｂ線における断面側面図である。
【符号の説明】
Ａ        刷版
Ｂ        取付穴穿孔装置
１        印刷面部
２        枠面部
３        位置合わせ用凹部
４        取付穴
１０、１１、２ａ、１２ｂ    支持台
２０        位置決め装置
２７        位置決めピン
２８        凸部
４０        穴開け装置
４１        ポンチ
４４        ダイス
【図１】
0003573860.tif 000002
【図２】
0003573860.tif 000003
【図３】
0003573860.tif 000004
【図４】
0003573860.tif 000005
【図５】
0003573860.tif 000006